(57)【要約】【課題】本発明は、観察対象である試料の伸縮の変化を抑えることにより、観察対象の位置ずれを解消し、大幅なスループット向上を図った荷電粒子線装置を提供する。【解決手段】本発明は、試料を保持する試料保持手段と、前記試料の温度の調整が可能な温度調節手段と、各種条件に基づき前記温度調節手段の制御が可能な温度調整手段制御手段を有することを特徴とする。【選択図】  図２
2011017569.tif 000002
【特許請求の範囲】
【請求項１】
半導体ウェーハを保持する試料保持手段と、該試料保持手段を移動させる試料ステージと、当該試料台に載置された半導体ウェーハに対して一次荷電粒子線を走査し、発生する二次荷電粒子を検出して二次荷電粒子信号として出力する機能を備えた荷電粒子カラムと、前記二次荷電粒子信号から前記半導体ウェーハの画像を形成する手段とを備えた荷電粒子線装置において、
前記半導体ウェーハの温度を制御する温度制御手段と、
当該温度調節手段を制御する上で必要なウェーハの観測指標を非接触で取得する測定手段とを備えたことを特徴とする荷電粒子線装置。
【請求項２】
請求項１に記載の荷電粒子線装置において、
前記測定手段が非接触式の温度センサであることを特徴とする荷電粒子線装置。
【請求項３】
請求項２に記載の荷電粒子線装置において、
前記試料保持手段は、静電吸着板を供えた静電チャックであり、
前記温度センサは、前記静電吸着板に形成された貫通孔内に配置された赤外線センサであることを特徴とする荷電粒子線装置。
【請求項４】
請求項１に記載の荷電粒子線装置において、
前記測定手段として、前記半導体ウェーハの直径を測定する手段を備えたことを特徴とする荷電粒子線装置。
【請求項５】
請求項４に記載の荷電粒子線装置において、
前記測定されたウェーハの直径から前記半導体ウェーハの直径の変動量を算出し、当該変動量に基づき前記温度制御手段を制御することを特徴とする荷電粒子線装置。
【請求項６】
請求項４に記載の荷電粒子線装置において、
前記ウェーハの直径を計測する手段は、前記試料保持手段上に配置された一対の光学式変位センサであることを特徴とする荷電粒子線装置。
【請求項７】
請求項６に記載の荷電粒子線装置において、
前記ウェーハの高さを計測する光学式の高さセンサを備え、
前記一対の光学式変位センサは、当該一対のセンサ間で放射・検出されるレーザ光の光軸が、前記試料保持手段上で前記光学式高さセンサが放射・検出するレーザ光の光軸と重ならない位置に配置されたことを特徴とする荷電粒子線装置。
【請求項８】
請求項６に記載の荷電粒子線装置において、
前記ウェーハ上で、前記一次荷電粒子線の光軸と前記光学式変位センサから照射されるレーザ光の光路とが交わる領域では、前記光学式変位センサから放射されるレーザ光がオフされることを特徴とする荷電粒子線装置。
【請求項９】
請求項６に記載の荷電粒子線装置において、
前記一対の光学式変位センサは、２本のレーザ光を放出かつ検出するものであり、
前記一次荷電粒子線の光軸と前記光学式変位センサから放射されるレーザ光の光路が交わる領域では、前記２本のレーザ光の１方のみがオフされることを特徴とする荷電粒子線装置。
【請求項１０】
請求項１に記載の荷電粒子線装置において、
前記測定手段として、前記ウェーハの画像を構成する画素データに対して所定の処理を行う情報処理手段を有し、
当該情報処理手段により、
前記ウェーハ上の特定の基準位置の位置ずれが前記画素データから算出され、
当該算出された差の情報を用いて前記温度制御手段が制御されることを特徴とする荷電粒子線装置。
【請求項１１】
請求項１０に記載の荷電粒子線装置において、
前記基準位置が、前記ウェーハ上に存在する欠陥の位置またはアライメント位置であることを特徴とする荷電粒子線装置。
【請求項１２】
請求項１に記載の荷電粒子線装置において、
前記温度制御手段は、前記試料保持手段上に配置されたペルチェ素子であることを特徴とする荷電粒子線装置。
【請求項１３】
請求項１２に記載の荷電粒子線装置において、
前記ペルチェ素子が、前記試料保持手段の中心から外周側に向かって放射状に配置されたことを特徴とする荷電粒子線装置。
【発明の詳細な説明】
【技術分野】
【０００１】
本発明は、電子顕微鏡，イオンビーム加工・観察装置等の荷電粒子線装置および荷電粒子線装置にて観察される試料の温度調節手段に関する。
【背景技術】
【０００２】
加速度的に微細化が進む半導体デバイスの製造・検査・評価分野では、より効率よくデバイスを生産するために、製造工程中の半導体ウェーハの検査・計測が益々重要になっている。製造工程中の半導体ウェーハの検査・計測装置としては、荷電粒子線を応用した装置が種々使用されている。例えば、レジストパターンのパターン幅の計測にはＣＤ−ＳＥＭが使用されており、配線形成後の欠陥位置検出には電子線式外観検査装置、欠陥分類にはレビューＳＥＭなどが使用されており、これらはすべて走査電子顕微鏡技術を基礎にした装置である。また、時には検出された欠陥箇所を透過電子顕微鏡で高倍観察する必要もあるが、その際にウェーハから欠陥箇所を切り出して透過電子顕微鏡用のサンプルを作成する際には、イオンビーム加工装置が使用される。
【０００３】
ウェーハは、製造・検査・評価等の各種装置を経てデバイスとして製品化されるが、各種のウェーハ処理装置においては、ウェーハは試料ステージ上に搭載され、試料ステージはステージ搬送装置により移動される。上述の荷電粒子線検査・計測装置においては、試料ステージは、他装置から搬送されてきたウェーハを搭載し、自装置内の所定の場所、例えば、電子顕微鏡の電子ビーム照射位置にウェーハの観察部位を搬送する必要がある。前述の通り、ウェーハは数種の製造・検査・評価装置に渡って処理されるが、各装置間において、ナノオーダーでの位置再現性が求められるため、処理される装置毎に特定の点での原点調整，アライメントを行い、現時点の装置での座標系を作り、当該座標系に基づきウェーハの搬送開始のタイミングや停止位置などを制御している。
【０００４】
ウェーハの搬送精度を左右する要因は主に２種類あり、１つが搬送装置自身の機械精度であり、もう１つが熱によるウェーハの膨張である。前者については、搬送装置の改良によりサブミクロンオーダー程度の制動性が出せるようになってはいるが、機械制御という制約上、ナノオーダーの制動性を出すことは困難であるため、ウェーハ処理に必要な高倍率の画像を取得する前に、荷電粒子線の照射位置確認用の低倍率画像を取得して測定対象物の詳細な位置を判断することで前述の位置再現性を確保している。なお、この場合、低倍率の視野からも観察対象物が外れるほど位置ずれが大きい場合は、ウェーハアライメントを再度実施する必要があり、ウェーハ処理のスループットを著しく低下させる。
【０００５】
後者の熱によるウェーハの膨張については、イオン打ち込み装置や露光装置など、半導体製造装置の分野では古くから知られていた課題である。例えば、特開平９−２０５０８０号公報（特許文献１）には、ウェーハを保持する静電チャックのウェーハ対向面内にペルチェ素子を埋め込み、当該ペルチェ素子の上方（ウェーハ対向面）に熱電対を配置し、熱電体で検知したウェーハの温度によってペルチェ素子を制御する発明が開示されている。また、特開２００３−１３３４０２号公報（特許文献２）には、静電チャック内に加熱手段と温度センサを配置し、電子線加熱によるウェーハの部分的な歪を補正するように上記の加熱手段を過熱する露光装置の発明が開示されている。
【０００６】
半導体製造装置で上記のようなウェーハの温度制御技術が発達した理由は、製造の場合は検査・計測とは異なり、やり直しがきかないためビーム照射位置制御の精度に対する要求が厳しいという理由による。また、検査・計測装置の場合、荷電粒子線を用いたウェーハ検査・計測装置の場合、分解能の高い画像を取得するためにはなるべく細く絞った一次荷電粒子線を試料上に走査する必要があり、クーロン効果の点でビーム電流量を極端に大きくすることはできないため、荷電粒子線を用いたウェーハの計測・検査装置については、半導体製造装置と比較してウェーハに投入される荷電粒子線のエネルギーが小さく、したがって、荷電粒子線の加熱によるウェーハの膨張に起因する位置ずれは、さほど問題にはならなかった。
【先行技術文献】
【特許文献】
【０００７】
【特許文献１】特開平９−２０５０８０号公報（米国特許５,５６７,６２２号）
【特許文献２】特開２００８−０１０２５９号公報
【発明の概要】
【発明が解決しようとする課題】
【０００８】
上記の通り、一次荷電粒子を試料上に走査して発生する二次荷電粒子線を取得して撮像を行う荷電粒子線検査・計測装置の場合、荷電粒子線照射による加熱がもとでウェーハが膨張することは、従来、さほど問題にはならなかった。ところが、最近、ウェーハ搬送装置で発生する熱が原因でウェーハが膨張するという問題点が顕在化してきた。以下詳述する。
【０００９】
荷電粒子線を用いたウェーハ検査・計測装置は、ウェーハ処理の高速化、すなわち半導体ウェーハ１枚あたりに所定の処理を行うために必要な時間の短縮が常に求められている。各種装置のウェーハ処理のスループット左右する最も大きな要因の一つとして、ウェーハの搬送速度が挙げられる。近年のウェーハ検査・計測装置においては、ウェーハ処理高速化の要求あるいは計測・検査点数の増大に伴い、試料ステージを従来よりもかなり高速で移動させる必要が生じている。撮像時には試料ステージは停止しているので、試料ステージを高速で移動させることは、急加速，急停止といった急な制動が何回も繰り返されることを意味する。ステージ搬送装置は、リニアモータ，超音波モータあるいはボールねじとパルスモータの組み合わせなどの駆動手段を持つが、いずれにおいても摺動部での熱の発生は避けられない。また、試料ステージの移動速度が上がれば熱の発生量も多くなる。従って、ステージを一定速度で連続移動させる場合であっても、移動速度が速くなれば、搬送装置で発生する熱量は増大し、ウェーハの膨張が問題となる。
【００１０】
一方、荷電粒子線を用いたウェーハ検査・計測装置においてウェーハの温度制御を行う場合、異物発生の抑制という課題がある。特許文献１に開示される発明においては、ウェーハの裏面に熱電対を接触させてウェーハの温度を検出しているが、接触により異物が発生する。発生した異物はウェーハの搬送時に舞い上がるため、ウェーハ表面への異物の付着，汚染の原因となる。また露光など、製造工程によってはウェーハ裏面の異物も問題となる。裏面異物の有無によるウェーハの高さ変化がフォーカスずれの原因となる可能性があるためである。ウェーハ検査・計測装置の場合、検査・計測の前後で、処理対象物の品質が変化することは許されないため、荷電粒子線を用いたウェーハ検査・計測装置においてウェーハの温度制御を行う場合、異物発生を抑制できるウェーハの温度計測あるいはウェーハサイズの変動量計測が要求される。
【課題を解決するための手段】
【００１１】
上記目的を達成するために、本発明は、試料である半導体ウェーハを保持する試料保持手段に温度調節手段を設け、当該温度調節手段を制御する上で必要となるウェーハの観測指標を非接触で取得する測定手段を備えることを特徴とする。
【発明の効果】
【００１２】
本発明によれば、試料ステージ連続駆動による機構部発熱などのあらゆる原因による熱が発生しても、ウェーハ１１１およびウェーハ保持機構の温度が変化することがない。これにより、アライメントのやり直しや、低倍率での観察対象物画像，参照画像，比較作業を実施することなく、測定対象物の位置ずれを発生させずに観察することができ、スループットが格段に向上する。
【図面の簡単な説明】
【００１３】
【図１】本発明の一実施例である走査型電子顕微鏡の全体構成を示す平面図。
【図２】実施例１の荷電粒子線装置における試料保持部の上面図。
【図３】実施例１の荷電粒子線装置における試料保持部の断面図。
【図４】実施例１の荷電粒子線装置における試料保持部の断面図その２。
【図５】実施例２の荷電粒子線装置における試料保持部の断面図。
【図６】実施例２の荷電粒子線装置における試料保持部の上面図。
【図７】実施例３の欠陥位置ずれ量算出を示す模式図。
【図８】実施例４の正常時の特定点表示に関する詳細図。
【図９】実施例４の特定点位置ずれ量算出に関する詳細図。
【発明を実施するための形態】
【００１４】
以下、図面を用いて実施形態について説明する。
【実施例１】
【００１５】
本実施例では、温度調節手段を制御する上で必要となるウェーハの観測指標を非接触で取得する測定手段として赤外線センサを備えた荷電粒子線装置の構成例について説明する。また、本実施例では、荷電粒子線装置として、一次電子線をウェーハに照射して発生する二次電子または反射電子を検出する機能を持つ走査電子顕微鏡を例として説明を行う。
【００１６】
図１には、本実施例の走査電子顕微鏡の全体図を示す。大きく分けて、一般的な走査型電子顕微鏡は、カラム１０１，試料室１１４，ロードロック室１１５から構成されている。以下、観察対象であるウェーハ１１１を観察する一連のシーケンスを説明する。まず、ウェーハ１１１が装置外部のウェーハ搬送装置（図示なし）から搬送され、大気側ゲートバルブ１１８が開き、ロードロック室１１５内に搬入され、大気側ゲートバルブが閉じた後、真空ポンプ（図示なし）によりロードロック室１１５が真空排気される。その後、真空側ゲートバルブ１１６が開き真空搬送ロボット１１７により、ウェーハ１１１が試料室１１４内に搬入される。本実施例においては、ロードロック室１１５から試料室１１４へのウェーハ搬送は真空搬送ロボット１１７により実行されるとしているが、ウェーハホルダ等を使用してウェーハ１１１を試料室１１４に搬入しても構わない。この場合は、ウェーハホルダ中にウェーハ保持機構１１２が搭載されているか、ウェーハホルダ自身がウェーハ保持機構１１２と同等の機能を有していても良い。なお、試料室１１４内は、常に真空排気された状態に保たれている。
【００１７】
試料室１１４内に搬入されたウェーハ１１１は、試料ステージ１２５上のウェーハ保持機構１１２に搭載される。試料ステージ１２５は、例えばボールねじとパルスモータを組み合わせた搬送手段や、リニアモータ，超音波モータ等の搬送手段を用い、ステージ制御部１２１を介して駆動される。試料ステージ１２５上にはバーミラー１２４が取り付けられており、試料室１１４に取り付けられている干渉計１１３とバーミラー１２４との相対的な距離変化をレーザ測長することにより試料ステージ１２５の位置を計測して位置制御部１２０で処理を実施し、試料ステージ１２５上に搭載保持されたウェーハ１１１の位置を管理する。ここで、試料ステージ１２５の位置を検出するために、リニアスケール等の位置検出手段を用いても構わない。
【００１８】
カラム１０１内の電子銃１０２からは荷電粒子線１０３が発生するが、この荷電粒子線１０３は電子レンズ１０４および対物レンズ１０８を通過する。さらにカラム１０１内には偏向コイル１０５，１０６が設けられており、電子銃１０２から発生した荷電粒子線１０３は、偏向制御部１０７によって所定の起動に偏向される。荷電粒子線１０３は前述の対物レンズ１０８により収束されウェーハ１１１に照射される。荷電粒子線１０３がウェーハ１１１に照射されると反射電子および２次電子が発生し、検出器１１０によって検出される。検出器１１０で検出された反射電子および２次電子の検出信号は、偏向コイル１０５，１０６による荷電粒子線１０３の制御情報とともに画像制御部１２２に入力される。画像制御部１２２では、上記情報を元に画像データを生成し、モニタ１２３に表示する。なお、本実施例における走査型電子顕微鏡には高さ検出センサ１０９が搭載されており、観察対象物であるウェーハ１１１の詳細な高さを検出し、それを元にカラム制御部１１９にて荷電粒子線１０３の偏向量，収束率等を決定する。モニタ１２３と画像制御部１２２の間には、試料ステージ１２５に設けられた温度調節手段を制御する温度調節機構制御部２０７が配置される。温度調節機構制御部２０７の動作・機能については後述する。
【００１９】
次に、図２，図３および図４を使用し、本実施例の試料ステージの詳細を説明する。図２には、本実施例のウェーハ保持機構１１２の上面図を示す。前述の通り、ウェーハ１１１がウェーハ搬送装置（図示なし）から搬送され、ロードロック室１１５内に搬入後、真空排気される。真空排気終了後、ウェーハ１１１は、試料室１１４中のウェーハ保持機構１１２に搬送され、静電チャックの静電吸着板２０４に吸着・固定される。本実施例では、ウェーハ１１１固定手段として静電チャックを用いているが、メカチャック等を用いても構わない。静電吸着板２０４の中心には、ウェーハ処理後にウェーハを引き剥がすためのプッシャピン２０８と、プッシャピンを上下させるための開孔部が設けられ、その周囲には、温度調節機構２０２と温度測定センサ２０３が配置されている。
【００２０】
本実施例においては、温度調節機構として上部電極が板状のペルチェ素子を使用し、当該板状のペルチェ素子を、プッシャピンを中心にして静電チャックの外周に向かって放射状に配置した。また、温度測定センサ２０３は、静電吸着板の中心部周囲の内周部に８点、静電吸着板の端部に近い外周部に８点の計１６点、プッシャピン２０８の周囲に同心円状に配置した。静電吸着板２０４上のウェーハ１１１は支点がないため、温度変化により伸縮する際は、放射状に変化する可能性が高い。そのため、ペルチェ素子を中心から放射状に配置することにより、ウェーハに対して均一な熱の受け渡しが可能となり、スムーズな温度調節を可能にすると共に、ウェーハに対し、伸縮による余分な応力がかかることを防止することが可能になる。また、温度測定センサも同様に放射状に配置することにより、ウェーハ温度を均一に測定可能となり、上記ペルチェ素子に対し、正確な温度情報をフィードバック可能となる。これらの組み合わせにより、効率よく、リアルタイムに、ウェーハ１１１の温度を調節することが可能となる。
【００２１】
温度測定センサ２０３はウェーハ保持機構１１２の内部に取り付けられ、非接触にてウェーハの温度を測定する。測定された温度はウェーハ保持機構１１２の内部のケーブルを介して温度調節機構制御部２０７に蓄積され、当該温度調節機構制御部２０７にてペルチェ素子へ印加する電圧が算出され、静電吸着板給電部２０９を介して温度調節機構２０２に電圧が印加される。以降、ウェーハ１１１の処理前に設定された間隔に従って、温度測定を実施、随時結果を蓄積する。このため、温度調節機構制御部２０７は、温度情報を記憶するメモリ素子と、温度情報からペルチェ素子への印加電圧を計算するための演算素子とを備える。
【００２２】
本実施例の温度測定センサは、ウェーハの温度を非接触で測定する必要がある。このため、温度測定センサとして赤外線センサを使用している。これを説明するため、図３および図４に本実施例の試料保持手段の断面図を示す。図３は、図２に示す試料保持手段の上面図を板状の温度調節機構を含む断面（Ａ−Ａ断面）で切った断面図、図４は、図２に示す試料保持手段の上面図を赤外線センサを含む断面（Ｂ−Ｂ断面）で切った断面図である。静電吸着板２０４には、赤外線センサとセンサに接続されるケーブルを配置するための貫通孔が設けられており、赤外線センサは、ウェーハ１１１とは接触しない程度の距離を保って貫通孔内に配置される。また、ウェーハへの接触面積を減らすため、図示されてはいないが、静電吸着板２０４の表面には微小な凹凸が設けられており、これにより異物の発生が低減されるようになっている。
【００２３】
試料ステージ１２５は、条件に応じてウェーハ１１１面内の測定対象位置を荷電粒子線１０３照射位置まで繰り返し移動させる。前述のような移動が繰り返されることによって、試料ステージ１２５の駆動部やガイド部、その他の接触部等から熱が発生し、試料ステージ１２５やウェーハ保持機構１１２などの装置構成部材の温度を上昇させる。そのため、ウェーハ観察中に試料ステージが加熱され、試料ステージに搭載されるウェーハの温度が上昇する。加熱されたウェーハは線膨張係数に従って膨張し、ウェーハアライメントにて取得した座標系が変化し、自身のもつ座標系での理想位置へ試料ステージを移動しても、実際の観察対象物は電子ビーム照射位置からずれることになる。
【００２４】
本実施例の荷電粒子線装置によれば、温度調節機構制御部２０７は、随時蓄積される温度測定結果を元に設定温度を決定し、常にウェーハ１１１の温度が一定となるように温度調節機構２０２を指定の温度に設定する。以上の流れにより、ウェーハ１１１の温度測定，温度調整が随時繰り返される。これにより、ウェーハ１枚の検査・計測中にウェーハ１１１の温度変動が所定値以上に大きくなることが防止され、かつウェーハの膨張による位置ずれが抑制可能となる。
【００２５】
なお、本実施例においては、温度調節機構２０２としては、ペルチェ素子等があげられるが、真空中に設置可能で温度応答性が高いものであれば、他の温度調節機構を使用しても構わないこととする。例えば、静電吸着板内に冷媒が通過する流路を形成して、当該流路内に適当な冷媒、例えばヘリウムガスやフロンガス、あるいは水などの液体などを循環させて温度調節機構としてもよい。また、本実施例では、図２に示すように、赤外線センサの設置点数を１６点としたが、コストや機構の配置制限により設置数を減らしても構わない。例えば、ウェーハ１１１の主要な構成元素であるＳｉは熱伝導率が約１５０［Ｗ／ｍ・Ｋ］と大きいため、例えば、中央付近のみに温度センサを設置しても大きく性能を損なうことはない。
【実施例２】
【００２６】
実施例１では、赤外線センサによりウェーハの観測指標（この場合は温度）を非接触で取得する構成を備えた荷電粒子線装置について説明したが、本実施例では、ウェーハの直径の変動を測定して温度調節機構を制御する荷電粒子線装置の構成例について説明する。本実施例においても、荷電粒子線装置として走査電子顕微鏡を例として説明を行うが、装置の全体構成については、図１とほぼ同様であるため、説明は省略する。
【００２７】
図５には、本実施例のウェーハ保持機構１１２の断面図を、荷電粒子カラム１０１の端部と合わせて示す。本実施例の荷電粒子線装置は、温度調節機構として実施例１と同じ板状の上部電極を備えたペルチェ素子を備えているが、赤外線センサのような温度測定センサを備えていない。従って、ウェーハ保持機構の断面図については、ペルチェ素子の板状電極を含む断面で切った断面図のみを示す。
【００２８】
実施例１と同様に、ウェーハ１１１がウェーハ搬送装置（図示なし）から搬送され、ロードロック室１１５内に搬入後、真空排気される。真空排気終了後、ウェーハ１１１は、ウェーハ保持機構１１２上に搬送される。その後、ウェーハ保持機構１１２上に設置された一対の変位センサ５０４にてウェーハ１１１の直径が測定される。検査または計測対象となるウェーハ１１１の直径は１５０，２００，３００，４５０mm等、規格に基づいた値であるため、ある一定の正常範囲値と比較することで、例えば、ウェーハ１１１の割れや搬送失敗などの異常を検出することも可能である。
【００２９】
変位センサ５０１は、基本的にはウェーハ１１１の処理中は継続してウェーハ直径測定を継続する。また、直径の測定は可能な限り短い周期で実行し、温度調節機構制御部２０７にデータを蓄積する。温度調節機構制御部２０７は、蓄積された測定結果からウェーハ１１１の直径の変動量を算出し、温度調節機構２０２の設定温度を決定する。これにより、ウェーハ１１１の温度を制御する。本実施例の変位センサは光学式であり、一方の変位センサから放射されたレーザ光を他方の変位センサ５０１で検知し、その時間差からレーザ光の移動距離を高精度で計測する。ウェーハの直径を測定するには、図５に示す２つの変位センサ間の距離５０２と、ウェーハの端部と２つの変位センサ間の距離５０３，５０４との差を計算することにより測定する。この際、距離５０３，５０４のみを測定する方法と、距離５０３，５０４に加えて距離５０２も常に測定する方法の２通りがあり、リアルタイムで測定する計測値としては、原理的には距離５０３，５０４のみを測定すれば、ウェーハの直径を求めることが可能である。ただし、搬送手段の発熱により、実際には試料ステージ全体が加熱されるため、高精度な測定を行うためには、距離５０２も測定したほうがよい。
【００３０】
ここで、ウェーハ１１１の直径の測定結果と上昇温度の関係は、線膨張係数により、以下式（１）に示すように単純に求めることが可能である。
【００３１】
【数１】
2011017569.tif 000003
【００３２】
ここで、ΔＬ：ウェーハ伸縮量，ΔＴ：ウェーハ上昇温度，Ｌ：ウェーハ直径，α：ウェーハ（Ｓｉ）線膨張係数、である。
【００３３】
例えば、ウェーハ１１１の直径が３００,０００［mm］、線膨張係数が０.０００００２６［１／℃］であるとき、変位センサ２０６で求めた直径が３００.００１［mm］であったとすると、３００,００１−３００,０００＝０.０００００２６・３００,０００・ΔＴ、
ΔＴ＝１.２８℃
となり、求められた温度変化量から温度調節機構制御部２０７によって温度調節機構２０２の設定温度が決定される。ただし、構成が複雑となる場合は、事前に実験的に求めた関係を使用し、温度変化を求めても良い。
【００３４】
ここで、距離５０２も測定する場合、以下のような問題が生じる。ウェーハは、ステージ移動により、ウェーハ上の所定位置を電子ビームの照射位置に移動しているが、検査・計測位置によっては、電子源から照射される一次電子ビーム光軸が、変位センサから放射されるレーザの光路を横切る場合が生じる。図５には、荷電粒子カラム１０１から降ってくる一次電子線１０３が変位センサ５０１から放射されるレーザ光の光軸と交差した状態を図示した。図５のような場合、一次電子線に加えて、電子線照射により発生する二次電子や反射電子５０５もレーザ光の光軸と交差することになる。レーザは光であるので一次電子ビームや二次電子と直接干渉を起こすわけではないが、二次電子や反射電子５０５の検出条件が他の領域と違っているのは装置設計上問題である。
【００３５】
そこで、距離５０２も測定する場合、本実施例では、位置制御部１２０が温度調節機構制御部２０７に一次電子線の照射位置の情報（ウェーハ上の検査ないし計測領域）を送信し、一次電子ビーム光軸がレーザの光路に交差する可能性のある領域を検査ないし計測中の場合は、温度調節機構制御部２０７が変位センサ５０１から照射されるレーザをオフするよう制御する。また、荷電粒子カラムの底部には、一次電子ビームや二次電子などを透過させるための開口５０６が、図５に示す程度の直径で設けられている。試料から発生する二次電子や反射電子は、一次電子ビームの直径よりは広がって検出器１１０まで到達するため、二次電子や反射電子５０５の検出条件も他の領域と揃えるためには、少なくとも、ウェーハ上でレーザ光が通過する領域が、一次電子ビームの着地点を中心とする開口５０６程度の面積の領域に一致する場合には、レーザ光をオフにする。
【００３６】
図６には、ウェーハ保持機構６０１の上面図に荷電粒子カラム１０１の配置を重ねて図示した。ウェーハ保持機構６０１および変位センサ６０２は信号伝送路を介して温度調節機構制御部２０７に接続されており、温度調節機構制御部２０７は更に位置制御部１２０に接続されている。一次電子ビームは、点線で示した荷電粒子カラム１０１のほぼ中心に到達する。変位センサ６０２から照射されるレーザが荷電粒子カラム１０１の中心を通過する場合、点線６０３で示すように、レーザの放射を一時的にオフする。レーザをオフする機構としては、レーザの励起電流をオフしてもよいが、レーザ発振が安定するまで時間がかかる場合もあるので、例えば機械式のシャッターなど、レーザの光路を物理的に遮蔽する遮蔽手段を設けてもよい。なお、上記の構成では、ウェーハの直径計測による温度制御がかからない領域ができてしまうが、変位センサから照射するレーザの数を２本にすれば、一方がオフされている間も他方のレーザでウェーハの直径を測定することが可能である。図６には、電子ビームの着地点近傍を通過する光路のレーザ６０３をオフにして、もう一方の光路のレーザ６０４が継続して照射されている様子を示した。
【００３７】
更にまた、ウェーハ処理を行う荷電粒子線検査・計測装置においては、ウェーハ保持機構上での変位センサの配置についても留意する必要がある。ウェーハ対応の荷電粒子線検査・計測装置は、図１に示すような高さ検出センサ１０９が搭載されており、通常、光学式である。従って、一対の変位センサ６０２は、その間に形成される光路が、高さ検出センサの光源と検出器間に形成される光路と干渉しないようにウェーハ保持機構上に配置される必要がある。図６には、一対の変位センサ間に形成される光路６０３または６０４を高さ検出センサの光源と検出器間に形成される光路６０９と一致しないように配置した様子を示した。仮に光路６０３または６０４が、高さ検出センサの光路１０９と一致した場合、正しい高さ測定値が得られなくなるため、一次電子ビームのフォーカスに支障をきたすことになる。
【００３８】
以上、本実施例では、ウェーハ１１１の直径、つまり、ウェーハ１１１の伸縮量を変位センサ２０６により随時測定し、その測定結果から温度調節機構制御部２０７が温度調節機構２０２の設定温度を制御する。本実施例の構成により、ウェーハ１１１の伸縮を防ぎ、観察対象物の位置ずれを回避することが可能となる。
【００３９】
本実施例では、本来の課題であるウェーハ１１１の伸縮を直接測定してウェーハを温度制御できるというメリットがある。例えば、実施例１において温度センサの検出結果に従いウェーハ１１１を完璧に温度調節したとしても、場合によっては、ウェーハ１１１が完全に伸縮せずに位置ずれが生じる可能性もある。それに対し、本実施例ではウェーハ１１１の伸縮を直接測定しているため、温度による伸縮だけではなく、静電吸着板等の不良によるウェーハ１１１の保持不良，位置ずれ等も合わせて検知することが可能となる。
【００４０】
なお、本実施例では、変位センサ６０２の数を２個としたが、ウェーハ１１１の伸縮量を観測できる限り、変位センサの数は２個に限らなくともよく、また、直径ではなくほかの観測量をモニタしてもよい。
【実施例３】
【００４１】
実施例１，２では、温度調節手段の制御に必要なウェーハの観測指標を測定する物理的な手段を備えた荷電粒子線装置の構成について説明したが、本実施例では、画像処理により、上記観測指標を取得するウェーハ欠陥レビュー装置の構成例について説明する。実施例１，２と同様、荷電粒子線装置としては走査電子顕微鏡を例として説明を行うが、装置の全体構成については、図１とほぼ同様であるため、説明は省略する。
【００４２】
ウェーハ欠陥レビュー装置とは、ウェーハの外観検査で検出された欠陥候補位置の座標情報を用いて、当該欠陥候補位置の画像を撮像し、得られた画像を用いて検出欠陥の分類や致命欠陥検出などの処理を行う荷電粒子線装置である。先ず、実施例１，２と同様に、ウェーハ１１１がウェーハ搬送装置（図示なし）から搬送され、ロードロック室１１５内に搬入後、真空排気される。真空排気終了後、ウェーハ１１１は、ウェーハ保持機構１１２上に搬送される。その後、試料ステージ１２５は位置制御部１２０により、ウェーハ１１１の測定対象位置を荷電粒子線１０３の照射位置に移動させる。その後、前述の手順を経て観察対象物の画像を撮像する。撮像した画像は、画像制御部１２２に取り込まれ、画像処理により、画像内の欠陥位置座標を検出し、本来中心にあるべき欠陥座標と、実際の中心位置座標から差分を算出する。さらに、算出された座標のずれ量と観察欠陥の位置からウェーハ１１１の伸縮量を算出する。求められた伸縮量に従い、温度調節機構制御部２０７は、蓄積された測定結果からウェーハ１１１の上昇温度を算出し、温度調節機構２０２の設定温度を決定し、ウェーハ１１１の温度に制御する。
【００４３】
図７には、取得された画像の一例を示す。例えば、本来画面中心にあるべき観察対象である欠陥７０１の座標が、ウェーハ１１１ロード直後のアライメントに基づき（Ｘ，Ｙ）であったとき、画像取得し、画像制御部で算出した位置ずれ量がΔｘとΔｙであったとすると、ウェーハ１１１の伸縮量および温度変化は以下のように求められる。
【００４４】
【数２】
2011017569.tif 000004
【００４５】
ここで、ΔＴ：ウェーハ上昇温度，ΔＸ：Ｘ方向位置ずれ量，ΔＹ：Ｙ方向位置ズレ量，α：ウェーハ（Ｓｉ）線膨張係数，Ｘ：理想的な欠陥Ｘ座標，Ｙ：理想的な欠陥Ｙ座標
である。
【００４６】
例えば、理想的な欠陥の座標が（１００,１００）［mm］、実際に画像から求めた欠陥７０１のずれ量がΔＸ＝０.００１［mm］，ΔＹ＝０.０００１［mm］であるとすると、式１に代入し、
【００４７】
【数３】
2011017569.tif 000005
【００４８】
となり、約０.３８℃上昇していることになる。これをもとに、温度調節機構２０２の設定温度を決定する。ここで、中心からの位置ずれ量の測定結果とウェーハ１１１の伸縮量の関係は、ウェーハ１１１が中心から放射状に伸縮すると仮定して求めたが、事前に実験的に求めた関係を使用してもよい。また、欠陥の位置ずれからのウェーハ１１１伸縮量の算出は、磁場の乱れやウェーハ１１１等の帯電状態による荷電粒子線１０３の乱れ変化も考慮して算出する。実施例１に記載したように、試料ステージ１２５の繰り返し移動により、各部の温度が上昇することによってウェーハ１１１が膨張し、位置ずれが発生する。
【００４９】
それに対し、本実施例においては、取得された画像から画像制御部１２２にてウェーハ１１１の伸縮量を算出し、その測定結果から温度調節機構制御部２０７が温度調節機構２０２の設定温度を制御することで、ウェーハ１１１の伸縮を防ぎ、観察対象物の位置ずれを段階的に回避することが可能となる。
【００５０】
本実施例では実施例１，２と異なり、温度調節手段の制御に必要なウェーハの観測指標を測定する物理的な手段を必要としないため、購入，製造，組立，調整などあらゆるコスト面において大きなメリットとなる。
【００５１】
ただし、本実施例では、数点の欠陥ずれ量を蓄積する必要があるため、ずれ始めから算出結果が反映されるまでの数点はずれた状態のまま画像が取得されることになる。これに対し、ウェーハ１１１面内の指定された全点の欠陥観察を終えた後に、ずれ計算に使用した欠陥点を再度観察することを設定により選択可能とする。
【実施例４】
【００５２】
実施例３においては、ずれ量を計算するための基準位置座標として欠陥７０１を使用したため、欠陥７０１の座標情報が予め分かっている必要があった。本実施例においては、ウェーハ上の特定点の座標情報、例えばアライメントに使用する点をずれ量を計算するための基準位置座標として使用する構成例について説明する。装置の全体構成については、図１とほぼ同様である。
【００５３】
図８および図９には、本実施例の荷電粒子線装置で取得される画像の一例を示す。パターン付ウェーハに対してアライメントを実施する際には、通常、対象となるウェーハ１１１の特徴的なパターンをアライメントパターンを含む領域に含まれる点を基準点として設定する。アライメント点に移動すると、ウェーハ１１１が膨張していない場合は、図８に示すように、登録した基準点が画面中央に表示される。一方、ウェーハ１１１の熱膨張により位置ずれが発生している場合は、図９に示すように位置ずれが生じ、アライメントパターンを含む設定領域の一部しか視野に表示されない。この基準点のずれ量（すなわち、装置に登録された基準点の座標と、実測した画像から計算される基準点の座標との差）およびアライメント位置の座標を画像制御部１２２に取り込み、実施例３に示した式に代入することでウェーハ１１１の温度変化量を求めることが可能である。なお、使用する特定の点の座標の位置，数，測定するタイミング等は処理前の設定にて選択可能とする。
【００５４】
本実施例の構成は、欠陥７０１の座標情報を必要としないため、ウェーハ欠陥レビュー装置だけではなく外観検査装置に対しても適用することが可能である。
【００５５】
また、実施例３では基準位置座標として、欠陥７０１を使用するが、欠陥７０１の座標情報は欠陥レビュー装置の前段である欠陥検査装置の検出誤差も含まれる可能性があることに対し、本実施例においては検出誤差に起因する誤差は生じない。さらに、近年のレビュー装置の新たな使用方法である定点レビュー機能を装置実装する際にも、本実施例の構成が適用可能である。定点レビュー機能においては、欠陥位置の情報を利用しないため、実施例３の方法で定点レビュー機能を実現することは困難である。
【００５６】
以上、ウェーハの観測指標を非接触で取得する手段の構成について、実施例１〜４を用いて説明したが、これらの実施例の構成はそれのみで使用される必要は無く、必要に応じて適宜組み合わせて使用してもよい。これにより、実施例１〜４の構成単独よりも、精度良くウェーハ１１１の伸縮を抑える温度調整性能を備えた装置が実現され、位置ずれを回避可能である。
【産業上の利用可能性】
【００５７】
本発明は、電子顕微鏡，イオンビーム加工・観察装置等の荷電粒子線装置および荷電粒子線装置にて観察される試料の温度調節方法に適用可能である。
【符号の説明】
【００５８】
１０１  カラム
１０２  電子銃
１０３  荷電粒子線
１０４  電子レンズ
１０５，１０６  偏向コイル
１０７  偏向制御部
１０８  対物レンズ
１０９  高さ検出センサ
１１０  検出器
１１１  ウェーハ
１１２，６０１  ウェーハ保持機構
１１３  干渉計
１１４  試料室
１１５  ロードロック室
１１６  真空側ゲートバルブ
１１７  真空搬送ロボット
１１８  大気側ゲートバルブ
１１９  カラム制御部
１２０  位置制御部
１２１  ステージ制御部
１２２  画像制御部
１２３  モニタ
１２４  バーミラー
１２５  試料ステージ
２０２  温度調節機構
２０３  温度測定センサ
２０４  静電吸着板
２０７  温度調節機構制御部
２０８  プッシャピン
２０９  静電吸着板給電部
５０１，６０２  変位センサ
６０３，６０４  変位センサのレーザ光路
６０５  高さ検出センサの光路
７０１  欠陥
８０１，９０１  アライメント領域
【図１】
2011017569.tif 000006
【図２】
2011017569.tif 000007
【図３】
2011017569.tif 000008
【図４】
2011017569.tif 000009
【図５】
2011017569.tif 000010
【図６】
2011017569.tif 000011
【図７】
2011017569.tif 000012
【図８】
2011017569.tif 000013
【図９】
2011017569.tif 000014